(57)【要約】【課題】      コネクタ自体の厚み寸法を小さくし、コスト安となり得るＣＰＡを備えたコネクタを提供する。【解決手段】  メスハウジングの外側壁面に設けられたメス突起部と、前記オスハウジングの内側壁面に設けられたオス凹状部との間の領域には、前記メスハウジングの外側壁面に沿うように横長状にＣＰＡ用挿入穴が形成され、該ＣＰＡ用挿入穴内において、前記メス突起部には、前記オスハウジングを係合させる第１ロック部と、前記ＣＰＡを係合させる第２ロック部とが形成され、前記ＣＰＡは、その外側面が前記ＣＰＡ用挿入穴内に嵌まり込むように挿入した状態で、前記メス突起部の第２ロック部に係合されているコネクタである。【選択図】    図１
2005251653.tif 000002
【特許請求の範囲】
【請求項１】
前方に開口部を有する箱型形状の形態をなし、当該開口部の奥内壁面において複数のオス端子をその先端部が前方に延出するように列状に保持するオスハウジングと、メス端子を収容するための端子収容室が各前記オス端子に対向するように列状に形成されるとともに、前記オスハウジングの開口部に挿入されるほぼ直方体形状の外側壁面が形成され、前記オスハウジングに一体的に装着されたメスハウジングと、前記メスハウジング及び前記オスハウジングが適正な装着位置で装着されたときに、当該メスハウジング及びオスハウジングに装着されるＣＰＡ（コネクタ位置保証部材）とを備えたコネクタであって、
前記メスハウジングの外側壁面に設けられたメス突起部と、前記オスハウジングの内側壁面に設けられたオス凹状部との間の領域には、前記メスハウジングの外側壁面に沿うように横長状にＣＰＡ用挿入穴が形成され、
該ＣＰＡ用挿入穴内において、前記メス突起部には、前記オスハウジングを係合させる第１ロック部と、前記ＣＰＡを係合させる第２ロック部とが形成され、
前記ＣＰＡは、その外側面が前記ＣＰＡ用挿入穴内に嵌まり込むように挿入した状態で、前記メス突起部の第２ロック部に係合されていることを特徴とするコネクタ。
【請求項２】
前記メス突起部は、一方端が前方に向かって延出し且つ互いに弾性的な接近動及び離反動、及び上下動が可能な２つの片持ち棒状体と、各当該片持ち棒状体の他方端を支持する共有の支持体とを有する平面視Ｕ字状の形態をなしており、前記第２ロック部は、各前記片持ち棒状体の底面に形成されるとともに、前記メスハウジング及び前記オスハウジングが適正な装着位置で装着されたときに、前記ＣＰＡ用挿入穴に挿入された前記ＣＰＡを前記片持ち棒状体が弾性的に上下動することで係合することを特徴とする請求項１に記載のコネクタ。
【請求項３】
前記第２ロック部は、各前記片持ち棒状体の底面に形成された凸状の形態をなし、前記ＣＰＡは、前記ＣＰＡ用挿入穴に挿入された際に、前記第２ロック部に係合される係合部を備えたことを特徴とする請求項１又は請求項２に記載のコネクタ。
【請求項４】
前記ＣＰＡは各前記片持ち棒状体の間に嵌挿される嵌挿部を有し、前記第２ロック部がＣＰＡに係合された際に、当該嵌挿部は各前記片持ち棒状体の間に嵌挿し、各当該片持ち棒状体が離反動することにより、前記第１ロック部が前記オス凹状部に形成されたオス突起部を係合させることを特徴とする請求項１乃至請求項３のいずれかに記載のコネクタ。
【発明の詳細な説明】
【技術分野】
【０００１】
本発明は、メスハウジングとオスハウジングとを係合させてなるコネクタに関し、特に、メスハウジング及びオスハウジングの係合状態を保証するためのコネクタ位置保証装置（以下、ＣＰＡと称す）を装着したコネクタに関する。
【背景技術】
【０００２】
従来、複数のメス端子を有するメスハウジングと、複数のオス端子を有するオスハウジングとを用い、メスハウジング及びオスハウジングを係合させて各メス端子を対応するオス端子に個別に接触させ電気的に接続するようにしたコネクタが広く提供されている。このような構成を有するコネクタは、近年、基板上における配線の高密度化に伴ってハウジング内の端子数が増加し、これに伴って各端子の大きさや取付ピッチ寸法が非常に小さくなってきており、メスハウジング及びオスハウジングの係合状態によってはメス端子及びオス端子の接続不良が生じやすいといった問題をかかえている。このような問題を解消するべく、メスハウジング及びオスハウジングの係合位置が適正位置であることを保証するためのＣＰＡを取り付けたコネクタが提供されている。
【０００３】
例えば、特許文献１には、次のような構成を有するコネクタが示されている。すなわち、このコネクタは、ＣＰＡと、コネクタ組立体嵌合縦軸に沿って配置された第１及び第２コネクタハウジングと、第１及び第２コネクタハウジングの一方の外面に取り付けられたラッチ組立体とを具備する。このラッチ組立体は、ラッチ（第１）位置及びラッチ解除（第２）位置の間において形成され、左右に可撓性を有するラッチビームを備える。ＣＰＡは、このラッチビームに対して第１及び第２位置間を移動可能であるビームブロック部を有し、第１位置ではラッチビームの横方向の撓みを許容し、第２位置ではラッチビームに直に隣接した位置に移動し、ラッチビームの横方向の撓みを防止する。
【０００４】
上記ＣＰＡは、垂直ポストに取り付けられた基部を有し、垂直ポストの上端には、作業者がＣＰＡを前後方向に移動させるための、リブが形成されたプラットフォームを有する。基部には切欠きが後端に沿って延び、ラッチ組立体に設けられたプラグハウジングの後端に沿って形成される棚部と係合する。ＣＰＡがプラグハウジングに一旦取り付けられると、基部は垂直ポスト及び棚部の間のポケット内に落ち込む。棚部は、ＣＰＡがポケット内の仮係止位置に一旦挿入され、プラグハウジングから全体が外れるのを防止する。ＣＰＡは、前面から後方に延びる切欠きを有する外側二股部と、外側二股部の幅よりも大きな幅を有する主部とを有する。基部は主部を超えて横方向に延び、ＣＰＡの各側面の翼部となっており、また、垂直ポストには湾曲した前面を有する平面視Ｔ字状断面が形成される。
【特許文献１】特開２００２−２８０１２０号公報
【発明の開示】
【発明が解決しようとする課題】
【０００５】
ＣＰＡは、初期の仮係止位置から最終ロック（第１）位置まで移動すると、垂直ポストの湾曲した前面がラッチ組立体の指部と係合するまで前方に移動し、最終ロック位置に位置すると、プラットフォームはＵ字状リブの内側に受容され、左右の指部がプラットフォームを支持する。そして、プラグハウジングを係合解除するためには、作業者がプラットフォームを押圧することにより後方にＣＰＡを摺動させ、プラグハウジングから外すことができる。
【０００６】
上述したように、ＣＰＡは、垂直ポストにおける湾曲した前面がヘッダ組立体の左右の指部の間に嵌まり込むとともに、垂直ポスト上のプラットフォームがヘッダ組立体上の指部に乗り上げた状態で、同じくヘッダ組立体上のリブの間に嵌まり込むようにして、ヘッダ組立体に支持される構成となっており、ヘッダ組立体の上側に突出した状態で係合される。すなわち、ＣＰＡは、垂直ポストが基部から垂直方向に立設され更にこの垂直ポスト上にヘッダ組立体上に乗り上がるプラットフォームを有しているので、ＣＰＡの高さ寸法が大きくなり大型化しやすく、当該ＣＰＡを取り付けたコネクタ自体の厚み寸法も必然的に大きくなりやすくなり、これを搭載する基板の使用条件を狭くしてしまいやすい。このため、基板上における配線の高密度化に対して小型化が望まれるコネクタの構成を満足させにくい。また、ＣＰＡの大型化に伴うコスト高という問題も生じやすい。
【０００７】
本発明は、上記課題を解決し、コネクタ自体の厚み寸法を小さくし、コスト安となり得るＣＰＡを備えたコネクタを提供することを目的とする。
【課題を解決するための手段】
【０００８】
上記課題を解決するために、本発明のコネクタは、前方に開口部を有する箱型形状の形態をなし、当該開口部の奥内壁面において複数のオス端子をその先端部が前方に延出するように列状に保持するオスハウジングと、メス端子を収容するための端子収容室が各前記オス端子に対向するように列状に形成されるとともに、前記オスハウジングの開口部に挿入されるほぼ直方体形状の外側壁面が形成され、前記オスハウジングに一体的に装着されたメスハウジングと、前記メスハウジング及び前記オスハウジングが適正な装着位置で装着されたときに、当該メスハウジング及びオスハウジングに装着されるＣＰＡ（コネクタ位置保証部材）と、を備えたコネクタであって、前記メスハウジングの外側壁面に設けられたメス突起部と、前記オスハウジングの内側壁面に設けられたオス凹状部との間の領域には、前記メスハウジングの外側壁面に沿うように横長状にＣＰＡ用挿入穴が形成され、
該ＣＰＡ用挿入穴内において、前記メス突起部には、前記オスハウジングを係合させる第１ロック部と、前記ＣＰＡを係合させる第２ロック部とが形成され、前記ＣＰＡは、その外側面が前記ＣＰＡ用挿入穴内に嵌まり込むように挿入した状態で、前記メス突起部の第２ロック部に係合されていることを特徴とする。
【０００９】
本発明のコネクタによれば、メスハウジングとオスハウジングとが装着された際に、メス突起部とオス凹状部との間の領域において形成されるＣＰＡ用挿入穴は、メスハウジングの外側壁面に沿うように横長状に形成されており、この横長状で高さ寸法の小さなＣＰＡ用挿入穴内に、ＣＰＡがその外側面が嵌まり込むように挿入した状態でメス突起部の第２ロック部に係合されているので、ＣＰＡの厚み寸法が薄型化することにより、コネクタ自体の厚み寸法を小さくし、全体として小型化させることが可能となり、これを搭載する基板上における実装面積の効率化に貢献し得る。
【００１０】
また、本発明のコネクタでは、前記メス突起部は、一方端が前方に向かって延出し且つ互いに弾性的な接近動及び離反動、及び上下動が可能な２つの片持ち棒状体と、各当該片持ち棒状体の他方端を支持する共有の支持体とを有する平面視Ｕ字状の形態をなしており、前記第２ロック部は、各前記片持ち棒状体の底面に形成されるとともに、前記メスハウジング及び前記オスハウジングが適正な装着位置で装着されたときに、前記ＣＰＡ用挿入穴に挿入された前記ＣＰＡを前記片持ち棒状体が弾性的に上下動することで係合することを特徴とする。
【００１１】
この発明によれば、メス突起部を、一方端が前方に向かって延出し且つ互いに弾性的な接近動及び離反動、及び上下動が可能な２つの片持ち棒状体と、各当該片持ち棒状体の他方端を支持する共有の支持体とを有する構成とし、メスハウジング及びオスハウジングが適正な装着位置で装着されたときに、横長状、つまり、横方向に長く、縦方向すなわち厚み方向を小さく形成したＣＰＡ用挿入穴において、ＣＰＡを挿入させるという簡単な作業のみで、片持ち棒状体が弾性的に接近動及び離反動、上下動することにより係合するような構成であるため、コネクタの厚み寸法の大型化を抑制した状態で的確且つ効率的な係合を達成し得る。
【００１２】
さらに、本発明のコネクタでは、前記第２ロック部は、各前記片持ち棒状体の底面に形成された凸状の形態をなし、前記ＣＰＡは、前記ＣＰＡ用挿入穴に挿入された際に、前記第２ロック部に係合される係合部を備えたことを特徴とする。
【００１３】
この発明によれば、各片持ち棒状体の底面に形成された凸状の形態をなす第２ロック部がＣＰＡ用挿入穴に挿入されるＣＰＡを係合するように構成されており、第２ロック部の係合によってＣＰＡがＣＰＡ用挿入穴に確実に挿入されていることを保証することが可能となっている。すなわち、ＣＰＡを横長状で高さ寸法の小さなＣＰＡ用挿入穴に挿入するといった簡単な作業で第２ロック部により係合してメスハウジングに装着させ、メスハウジング及びオスハウジングの適正な装着位置での装着を確認することが可能となっている。
【００１４】
また、本発明のコネクタでは、前記ＣＰＡは各前記片持ち棒状体の間に嵌挿される嵌挿部を有し、前記第２ロック部がＣＰＡに係合された際に、当該嵌挿部は各前記片持ち棒状体の間に嵌挿し、各当該片持ち棒状体が離反動することにより、前記第１ロック部が前記オス凹状部に形成されたオス突起部を係合させることを特徴とする。
【００１５】
このコネクタによれば、ＣＰＡをＣＰＡ用挿入穴に挿入すると、当該ＣＰＡの嵌挿部が各片持ち棒状体の間に嵌挿され、各片持ち棒状体が離反動することにより第１ロック部がオス凹状部に形成されたオス突起部を係合させるように構成されており、片持ち棒状体の動きによって、メスハウジングとオスハウジングとの係合、及びＣＰＡとメスハウジングとの係合の両方を効率的に行うことが可能となる。
【００１６】
本発明のコネクタにおいては、オスハウジングの開口部内にメスハウジングを挿入しこれらを装着した状態のコネクタ組立体において、ＣＰＡをオスハウジングの外側面上に突出させることなく、オスハウジングの開口部内において形成されるＣＰＡ用挿入穴に嵌まり込むようにして装着し、メスハウジング及びオスハウジングが適正な位置で装着されたことを保証している。しかも、ＣＰＡ用挿入穴はメスハウジングの外側面に沿って横長状に形成されているため、コネクタ全体の厚み寸法が大型化するのを抑制されている。これにより、厚み寸法が大型化されていない横長状のＣＰＡ用挿入穴内にＣＰＡを、オスハウジングの外側面から突出させずに嵌まり込むように挿入させることが可能となり、コネクタ全体としての厚み寸法を従来に比べて小型化することを達成しているのである。
【発明の効果】
【００１７】
本発明のコネクタによれば、ＣＰＡ用挿入穴をメスハウジングの外側壁面に沿うように横長状に形成し、このＣＰＡ用挿入穴にＣＰＡの外側面が嵌まり込むように挿入する構成としているので、コネクタ自体の厚み寸法を小型化することが可能となり、これを搭載する基板上における実装面積の効率化や使用条件の拡大に貢献し得る。
【発明を実施するための最良の形態】
【００１８】
以下、本発明を実施するための最良の形態を示すことにより、本発明の特徴とするところをより詳細に説明する。
【００１９】
図１は本実施形態のコネクタを示し、コネクタ位置保証装置（以下、ＣＰＡと称す）を装着したメスハウジングとオスハウジングとを分離した状態のコネクタを示す概略斜視図である。
【００２０】
本実施形態のコネクタは、複数のオス端子１を備えたオスハウジング２と、メス端子（図示せず）を収容するための端子収容室３が複数個形成され、且つオスハウジング２に装着されるメスハウジング４と、オスハウジング２及びメスハウジング４が適正な位置で装着されていることを保証するためのＣＰＡ５とを備える。
【００２１】
オスハウジング２は、前方に正面視長方形状であり内部が直方体形状の開口部６を有する箱型形状の形態をなしている。この開口部６では奥内壁面において複数のオス端子１をその先端部が前方に延出するように列状に保持している。また、開口部６の上壁面には、後述するメスハウジング４の上面に形成されたメス突起部７を挿入するためのオス凹状部８が形成されている。このオス凹状部８は、開口部６の上壁面において横方向のほぼ中央位置に前面から後方に向かって延出した２つの凸状レール部９の間に形成されている。また、開口部６の左右両側壁部の隅角部には、メスハウジング４に形成された突起部１０を収容する凹状部１１が各々形成されている。
【００２２】
メスハウジング４は、先述したように図示しないメス端子を収容するための端子収容室３が各オス端子１に対向するように列状に形成されるとともに、オスハウジング２の開口部６に挿入される外側壁面が形成されたほぼ直方体形状の形態をなしている。メスハウジング４は、その外側壁面がオスハウジング２の開口部６における内壁面に接触した状態で開口部６に嵌め込むように装着される。また、メスハウジング４の前面における横方向のほぼ中央位置には、ＣＰＡ５を挿入するための凹み部１２がメス突起部７に向かって形成されている。この凹み部１２はメスハウジング４の上行の端子収容室３に挟まれるように設けられている。そして、後述するように、メスハウジング４がオスハウジング２に一体的に装着されたときに、メスハウジング４の外側壁面に設けられたメス突起部７及び凹み部１２と、オスハウジング２の内側壁面に設けられたオス凹状部８との間の領域にＣＰＡ用挿入穴（ここでは図示せず）がメスハウジング２の外側壁面に沿うように横長状に形成される。
【００２３】
図２は、ＣＰＡ用挿入穴内におけるメス突起部７及びＣＰＡ５を説明するための説明図であり、メスハウジング４がオスハウジング２に装着される前の状態を説明するための図である。この図に示すとおり、メス突起部７は、メスハウジング４の外側壁面に沿って形成された平面視Ｕ字状の形態をなしており、一方端が前方に向かって延出し且つ互いに弾性的な接近動及び離反動、及び上下動が可能な２つの片持ち棒状体１３と、各当該片持ち棒状体１３の他方端を支持する共有の支持体１４とを有する。支持体１４はメスハウジング４の上面に固設されている。また、片持ち棒状体１３の先端部における外側面には、平面視三角形状の突状の第１ロック部１５が形成されており、この第１ロック部１５が後述するオス凹状部８のオス突起部１６を係合させる。さらに、各片持ち棒状体１３の底面に凸状の形態をなす第２ロック部１７が形成されている。
【００２４】
ＣＰＡ５は、表面が平坦な厚み寸法の小さな平板状の基部１８と、基部１８上に設けられ各片持ち棒状体１３の間に嵌挿される嵌挿部１９とを有している。この嵌挿部１９は、基部１８から上方に立設しており、中央部から先端部にかけて幅狭形状部２０が形成され且つ中央部から後端部にかけて幅広形状部２１が形成されており、この幅狭形状部２０と幅広形状部２１との間にこれをつなぐテーパ部Ｔが側面に形成されている。また、基部１８上には、片持ち棒状体１３の第２ロック部１７に対応する位置に係合部としての側面視台形状の凸起部２２がそれぞれ形成されている。ＣＰＡ５は、基部１８の前端部に上方に向かって立設されＣＰＡ用挿入穴を閉鎖するための横幅に長い寸法を有する長方形状の蓋部２３が形成されている。
【００２５】
また、メスハウジング４の凹み部１２には、ＣＰＡ５の基部１８の両側縁部を上下から挟み込むためのレール部２４が形成されており、ＣＰＡ５は基部１８をこのレール部２４に沿わせつつＣＰＡ挿入用穴に挿入されることになる。
【００２６】
次に、メスハウジング４をオスハウジング２に装着させるとともに、ＣＰＡ５をＣＰＡ用挿入穴に挿入させる際の状態を、図３乃至図８を参照しつつ説明する。
【００２７】
まず、オスハウジング２に途中まで装着された状態のメスハウジング４に、嵌挿部１９を各片持ち棒状体１３の間に嵌挿させつつＣＰＡ５をＣＰＡ用挿入穴に挿入する。このとき、第１ロック部１５はオス凹状部８のオス突起部１６により前方への挿入を阻止された状態となっている。また、ＣＰＡ５の基部１８上における凸起部２２が片持ち棒状体１３の第２ロック部１７により前方への挿入を阻止された状態となっている。
【００２８】
次に、ＣＰＡ５をＣＰＡ用挿入穴において更に前方に挿入するが、メスハウジング４がオスハウジング２に完全に装着されていないときには、テーパ部Ｔが各片持ち棒状体１３の先端部を押圧してメスハウジング２を前方に押し込む。このとき、各片持ち棒状体１３は、第１ロック部１５がオス突起部１６に接触することにより、徐々に互いに接近する方向に内側に弾性変形する。この各片持ち棒状体１３の弾性的な接近動は、オス突起部１６の先端と第１ロック部１５の先端とが接触するまで継続して行われる。
【００２９】
更に、ＣＰＡ５を前方に挿入させると、第１ロック部１５がオス突起部１６による接近動から開放されて徐々に互いに離れていく方向に離反動し、各片持ち棒状体１３を支持する支持部１４及び各片持ち棒状体１３の根元部分がオスハウジング２におけるオス凹状部８の奥壁面に当接したときに前方への挿入が終了する。
【００３０】
これにより、ＣＰＡ５をＣＰＡ用挿入穴に挿入すると、当該ＣＰＡ５の嵌挿部１９が各片持ち棒状体１３の間に嵌挿され、各片持ち棒状体１３が離反動することにより第１ロック部１５がオス凹状部８におけるオス突起部１６を係合させるように構成されており、片持ち棒状体１３の動きによって、メスハウジング４とオスハウジング２との係合及びＣＰＡ５とメスハウジング４との係合の両方を効率的に行うことが可能となる。
【００３１】
ＣＰＡ５は各片持ち棒状体１３の離反動によりその間隔寸法が広がったことにより、嵌挿部１９を更に前方に挿入させる。嵌挿部１９は、幅広形状部２１の両側面が各片持ち棒状体１３の内側面に倣うように前方に挿入される。また、このＣＰＡ５の前方への挿入時には、基部１８上の凸起部２２が各片持ち棒状体１３の第２ロック部１７に接触し、当該第２ロック部１７の先端に達するまで各片持ち棒状体１３を弾性的に上方に押し上げ、更に、ＣＰＡ５を前方に挿入するとともに各片持ち棒状体１３は弾性的に下方に下動し、そして、第２ロック部１７によって凸起部２２を内側に包み込むように係合する。
【００３２】
このように、各片持ち棒状体１３の底面に形成された凸状の形態をなす第２ロック部１７がＣＰＡ用挿入穴に挿入されるＣＰＡ５を係合するように構成されており、第２ロック部１７の係合によってＣＰＡ５がＣＰＡ用挿入穴に確実に挿入されていることを保証することが可能となっている。すなわち、ＣＰＡ５を横長状で高さ寸法の小さなＣＰＡ用挿入穴に挿入するといった簡単な作業で第２ロック部１７により係合してメスハウジング４に装着させ、メスハウジング４及びオスハウジング２の適正な装着位置での装着を確認することが可能となっている。
【００３３】
さらに、幅狭形状部２０の先端が片持ち棒状体１３の根元部における内面に接触することにより、ＣＰＡ５のＣＰＡ挿入用穴への挿入が完了する。
【００３４】
本実施形態ではＣＰＡ用挿入穴をメスハウジング４の上側面とオスハウジング２の上側内壁面との間の領域に形成されているが、装着されたメスハウジング４及びオスハウジング２の間の領域に形成されていればよく、メスハウジング４の下面とオスハウジング２の下側内壁面の間の領域に形成されてもよい。
【００３５】
また、本実施形態では、一方端が前方に向かって延出し且つ互いに弾性的な接近動及び離反動、及び上下動が可能な２つの片持ち棒状体と、各当該片持ち棒状体の他方端を支持する共有の支持体とを有する平面視Ｕ字状の形態をなしているが、上記２つの片持ち棒状体がそれぞれ個別の支持体に支持されている平面視ハ字状となってもよい。
【００３６】
さらに、本実施形態では片持ち棒状体１３の先端部における外側面には第１ロック部１５が形成されており、また、各片持ち棒状体１３の底面に第２ロック部１７が形成されているが、第１ロック部及び第２ロック部の形成位置についてはこれを限定されるものでない。また、第１ロック部及び第２ロック部は凸状の形態をなしているが、第１ロック部及び／又は第２ロック部を凹状の形態とし、それぞれオスハウジング、ＣＰＡと係合するようにしてもよい。
【産業上の利用可能性】
【００３７】
本発明に係るコネクタは、自動車や各種電子機器における電気配線に用いられる電気コネクタの分野に広く利用することができる。
【図面の簡単な説明】
【００３８】
【図１】本実施形態のコネクタを示し、コネクタ位置保証装置（以下、ＣＰＡと称す）を装着したメスハウジングとオスハウジングとを分離した状態のコネクタを示す概略斜視図である。
【図２】ＣＰＡ用挿入穴内におけるメス突起部７及びＣＰＡ５を説明するための説明図であり、メスハウジング４がオスハウジング２に装着される前の状態を説明するための図である。
【図３】メスハウジング４をオスハウジング２に装着させるとともに、ＣＰＡ５をＣＰＡ用挿入穴に挿入させる際の状態を説明するための図であり、メスハウジングの装着前の状態を示す概略斜視図である。
【図４】メスハウジング４をオスハウジング２に装着させるとともに、ＣＰＡ５をＣＰＡ用挿入穴に挿入させる際の状態を説明するための図であり、メスハウジングの装着前の状態を示す要部断面図である。
【図５】メスハウジング４をオスハウジング２に装着させるとともに、ＣＰＡ５をＣＰＡ用挿入穴に挿入させる際の状態を説明するための図であり、ＣＰＡ５のテーパ部Ｔのより各片持ち棒状体１３の先端を押圧している状態を示す概略斜視図である。
【図６】メスハウジング４をオスハウジング２に装着させるとともに、ＣＰＡ５をＣＰＡ用挿入穴に挿入させる際の状態を説明するための図であり、ＣＰＡ５のテーパ部Ｔのより各片持ち棒状体１３の先端を押圧している状態を示す要部断面図である。
【図７】第１ロック部によりメスハウジング４がオスハウジング２に係合され、第２ロック部の係合によりＣＰＡ５がメスハウジング４及びオスハウジング２の適正な位置での装着を保証した状態を示す概略斜視図である。
【図８】第１ロック部によりメスハウジング４がオスハウジング２に係合され、第２ロック部の係合によりＣＰＡ５がメスハウジング４及びオスハウジング２の適正な位置での装着を保証した状態を示す要部断面図である。
【符号の説明】
【００３９】
２  オスハウジング
３  端子収容室
４  メスハウジング
５  ＣＰＡ
６  開口部
７  メス突起部
８  オス凹状部
１３  片持ち棒状体
１４  支持体
１５  第１ロック部
１６  オス突起部
１７  第２ロック部
１９  嵌挿部
２２  凸起部（係合部）
【図１】
2005251653.tif 000003
【図２】
2005251653.tif 000004
【図３】
2005251653.tif 000005
【図４】
2005251653.tif 000006
【図５】
2005251653.tif 000007
【図６】
2005251653.tif 000008
【図７】
2005251653.tif 000009
【図８】
2005251653.tif 000010